(57)【要約】【課題】本考案は、離れた位置からでも腕時計をよく見ることができると共に立体感を出して消費者に高級感に富んだ印象を与えることができる腕時計陳列用スタンドを提供する。【解決手段】腕時計陳列用スタンド１０の基板１２には傾斜板１６の下端部１６Ａが当接状態で接着等により固定されている。この傾斜板１６には腕時計１８の時計本体１８Ａが正面中央に対応した状態で取り付けられるようになっている。前記傾斜板１６の上部には上切欠部２０が切欠き形成され、下部には下切欠部２２が切欠き形成されている。前記傾斜板１６の上端部１６Ｃは基板１２に立設された立上板２６の上端部と接着等により固定されている。この立上板２６の背面には収容ボックス部２８が形成されている。【選択図】　　図１
0003097587.tif 000002
【実用新案登録請求の範囲】
【請求項１】
基板に傾斜した状態で配設された傾斜板と、この傾斜板の上部に切欠き形成された上切欠部と、前記傾斜板の下部に前記上切欠部と間隔を設けて切欠き形成された下切欠部と、前記傾斜板の上端部が当接すると共に前記基板に立設された立上板と、この立上板の背面に形成された収容ボックス部と、を有してなることを特徴とする腕時計陳列用スタンド。
【請求項２】
基板に傾斜した状態で配設された傾斜板と、この傾斜板の上部に切欠き形成された上切欠部と、前記傾斜板の下部に前記上切欠部と間隔を設けて切欠き形成された下切欠部と、前記上切欠部の入口部に形成された突起と、前記傾斜板の上端部が当接すると共に前記基板に立設された立上板と、この立上板の背面に形成された収容ボックス部と、を有してなることを特徴とする腕時計陳列用スタンド。
【請求項３】
基板の先端部に傾斜した状態で形成された折返部と、前記基板に傾斜した状態で配設された傾斜板と、この傾斜板の上部に切欠き形成された上切欠部と、前記傾斜板の下部に前記上切欠部と間隔を設けて切欠き形成された下切欠部と、前記上切欠部の入口部に形成された突起と、前記傾斜板の上端部が当接すると共に前記基板に立設された立上板と、この立上板の背面に形成された収容ボックス部と、を有してなることを特徴とする腕時計陳列用スタンド。
【請求項４】
基板の先端部に傾斜した状態で形成された折返部と、前記基板に傾斜した状態で配設された傾斜板と、この傾斜板の上部に切欠き形成された上切欠部と、前記傾斜板の下部に前記上切欠部と間隔を設けて切欠き形成された下切欠部と、前記上切欠部の入口部に形成された突起と、前記上切欠部と下切欠部の間の前記傾斜板に巻き付けられた滑り止め防止シートと、前記傾斜板の上端部が当接すると共に前記基板に立設された立上板と、この立上板の背面に形成された収容ボックス部と、を有してなることを特徴とする腕時計陳列用スタンド。
【請求項５】
基板の先端部に傾斜した状態で形成された折返部と、前記基板に傾斜した状態で配設された傾斜板と、この傾斜板の上部に切欠き形成された上切欠部と、前記傾斜板の下部に前記上切欠部と間隔を設けて切欠き形成された下切欠部と、前記上切欠部の入口部に形成された突起と、前記上切欠部と下切欠部の間の前記傾斜板の背面に取り付けられた弾性体と、前記傾斜板の上端部が当接すると共に前記基板に立設された立上板と、この立上板の背面に形成された収容ボックス部と、を有してなることを特徴とする腕時計陳列用スタンド。
【請求項６】
前記基板、折返部、傾斜板、立上板、収容ボックス部を透明なアクリル樹脂で形成したことを特徴とする請求項３、請求項４、請求項５記載の腕時計陳列用スタンド。
【考案の詳細な説明】
【０００１】
【考案の属する技術分野】
本考案は腕時計等の商品を陳列する商品陳列ケース等に腕時計を傾斜状態で陳列することができる腕時計陳列用スタンドに関する。
【０００２】
【従来の技術】
腕時計等の商品を商品陳列ケースに入れて陳列する場合は腕時計を陳列ケースの中に単に寝かした状態に置いて陳列したりしている。
しかし、これでは商品陳列ケースの真上から見ないと腕時計の時計本体等を良く見ることができないという不具合がある。
また、腕時計を陳列ケースの中に単に置いて陳列すると腕時計の立体感が無く高級感に欠けた印象を消費者に与えてしまい易い。
【０００３】
【考案が解決しようとする課題】
本考案は、上記事実に鑑みなされたものであり離れた位置からでも腕時計をよく見ることができると共に立体感を出して消費者に高級感に富んだ印象を与えることができる腕時計陳列用スタンドを提供するものである。
【０００４】
【課題を解決するための手段】
請求項１の考案は、基板に傾斜した状態で配設された傾斜板と、この傾斜板の上部に切欠き形成された上切欠部と、前記傾斜板の下部に前記上切欠部と間隔を設けて切欠き形成された下切欠部と、前記傾斜板の上端部が当接すると共に前記基板に立設された立上板と、この立上板の背面に形成された収容ボックス部と、を有してなることを特徴としている。
請求項２の考案は、基板に傾斜した状態で配設された傾斜板と、この傾斜板の上部に切欠き形成された上切欠部と、前記傾斜板の下部に前記上切欠部と間隔を設けて切欠き形成された下切欠部と、前記上切欠部の入口部に形成された突起と、前記傾斜板の上端部が当接すると共に前記基板に立設された立上板と、この立上板の背面に形成された収容ボックス部と、を有してなることを特徴としている。
請求項３の考案は、基板の先端部に傾斜した状態で形成された折返部と、前記基板に傾斜した状態で配設された傾斜板と、この傾斜板の上部に切欠き形成された上切欠部と、前記傾斜板の下部に前記上切欠部と間隔を設けて切欠き形成された下切欠部と、前記上切欠部の入口部に形成された突起と、前記傾斜板の上端部が当接すると共に前記基板に立設された立上板と、この立上板の背面に形成された収容ボックス部と、を有してなることを特徴としている。
請求項４の考案は、基板の先端部に傾斜した状態で形成された折返部と、前記基板に傾斜した状態で配設された傾斜板と、この傾斜板の上部に切欠き形成された上切欠部と、前記傾斜板の下部に前記上切欠部と間隔を設けて切欠き形成された下切欠部と、前記上切欠部の入口部に形成された突起と、前記上切欠部と下切欠部の間の前記傾斜板に巻き付けられた滑り止め防止シートと、前記傾斜板の上端部が当接すると共に前記基板に立設された立上板と、この立上板の背面に形成された収容ボックス部と、を有してなることを特徴としている。
請求項５の考案は、基板の先端部に傾斜した状態で形成された折返部と、前記基板に傾斜した状態で配設された傾斜板と、この傾斜板の上部に切欠き形成された上切欠部と、前記傾斜板の下部に前記上切欠部と間隔を設けて切欠き形成された下切欠部と、前記上切欠部の入口部に形成された突起と、前記上切欠部と下切欠部の間の前記傾斜板の背面に取り付けられた弾性体と、前記傾斜板の上端部が当接すると共に前記基板に立設された立上板と、この立上板の背面に形成された収容ボックス部と、を有してなることを特徴としている。
請求項６の考案は、前記基板、折返部、傾斜板、立上板、収容ボックス部を透明なアクリル樹脂で形成したことを特徴としている。
【０００５】
【考案の実施の形態】
図１〜図６には本考案に係る腕時計陳列用スタンドの第１実施例が示されている。
図１に示されるように、腕時計陳列用スタンド１０の基板１２の先端部には傾斜した折返部１４が連続して形成されている。この折返部１４には後述する腕時計のブランド名や価格等を表示した商品シール１５が貼付されている。
前記基板１２には後方に傾斜した傾斜板１６の下端部１６Ａが当接状態で接着等により固定されている。この傾斜板１６には商品としての腕時計１８の時計本体１８Ａが正面中央に対応した状態で取り付けられるようになっている。
前記傾斜板１６の上部には上切欠部２０が切欠き形成され、下部には下切欠部２２が切欠き形成されている。この上切欠部２０と下切欠部２２には腕時計１８のバンド部１８Ｂが入り込み、これにより腕時計１８は前記傾斜板１６の中間部１６Ｂに傾斜状態で保持されるようになっている。また、上切欠部２０の入口部には突起２４が形成され、腕時計１８が脱落しにくくなっている。
図１及び図２に示されるように、前記傾斜板１６の上端部１６Ｃは基板１２の後部に垂直に立設された立上板２６の上端部と当接状態で接着等により固定されている。この立上板２６の背面には収容ボックス部２８が形成されている。
この収容ボックス部２８には前記腕時計１８の使用説明書や保証書２９を差し込めるようになっている。
なお、この実施例では腕時計陳列用スタンド１０の基板１２、折返部１４、傾斜板１６、立上板２６、収容ボックス部２８は厚みのある透明なアクリル樹脂で形成されている。
【０００６】
次に、第１実施例の腕時計陳列用スタンド１０を商品陳列体３０に配設して腕時計１８を陳列する場合を例にして腕時計陳列用スタンド１０の作用を説明する。
図３に示されるように、前記商品陳列体３０の上部には透明なアクリル樹脂で形成された透明ケース３２が載置されている。
この透明ケース３２の内側には透明なアクリル樹脂で形成された上棚３４、中棚３４、下棚３４が三段になって配設されている。
前記上棚３４には上棚用トレー３６が載置され、前記中棚３４には中棚用トレー３８が載置され、下棚３４には下棚用トレー４０が載置されている。なお、この実施例ではこれら上棚用トレー３６、中棚用トレー３８、下棚用トレー４０も透明なアクリル樹脂で形成されている。従って、腕時計陳列用スタンド１０、透明ケース３２、上棚３４、中棚３４、下棚３４、上棚用トレー３６、中棚用トレー３８、下棚用トレー４０は全て透明なアクリル樹脂で統一して形成されているので洒落た印象を消費者に与えることができる。
図４に示されるように、前記上棚用トレー３６の後部下面には脚部３６Ａが突設されているため、上棚用トレー３６は傾斜状態で上棚３４に載置されている（図３参照）。また、上棚用トレー３６の上面には区画レール部３６Ｂが間隔を設けて複数突設されている。この区画レール部３６Ｂと区画レール部３６Ｂの間隔は前記腕時計陳列用スタンド１０がフィットした状態で入ることができる間隔に設定されている。なお、上棚用トレー３６の前部上面には滑り止めレール部３６Ｃが突設され、腕時計陳列用スタンド１０が上棚用トレー３６から滑り落ちないようになっている。従って、前記腕時計陳列用スタンド１０は区画レール部３６Ｂと区画レール部３６Ｂの間にフィットして収容されるため、上棚用トレー３６に複数の腕時計陳列用スタンド１０を規則正しく整然と並べることができる。
図５に示されるように、前記中棚用トレー３８はフラットに形成されている。従って、上棚用トレー３６はフラット状態で中棚３４に載置されている（図３参照）。また、中棚用トレー３８の上面には区画レール部３８Ａが間隔を設けて複数突設されている。この区画レール部３８Ａと区画レール部３８Ａの間隔は前記腕時計陳列用スタンド１０がフィットした状態で入る間隔に設定されている。従って、前記腕時計陳列用スタンド１０は区画レール部３８Ａと区画レール部３８Ａの間にフィットして収容されるため、中棚用トレー３８に複数の腕時計陳列用スタンド１０を規則正しく整然と並べることができる。
図６に示されるように、前記下棚用トレー４０は中間部に凸部４０Ａが形成されている。また、上棚用トレー４０の上面には区画レール部４０Ｂが間隔を設けて複数突設されている。この区画レール部４０Ｂと区画レール部４０Ｂの間隔は前記腕時計陳列用スタンド１０がフィットした状態で入る間隔に設定されている。従って、前記腕時計陳列用スタンド１０は区画レール部４０Ｂと区画レール部４０Ｂの間にフィットして収容されるため、上棚用トレー４０に複数の腕時計陳列用スタンド１０を規則正しく整然と並べることができる。
前記上棚用トレー３６、中棚用トレー３８、下棚用トレー４０に並べられて載置される腕時計陳列用スタンド１０に腕時計１８を陳列する場合は腕時計陳列用スタンド１０の上切欠部２０と下切欠部２２に腕時計１８のバンド部１８Ｂを入れることにより腕時計１８は前記傾斜板１６の中間部１６Ｂに傾斜状態で保持された状態で陳列される。また、上切欠部２０の入口部には突起２４が形成されているので前記腕時計１８は脱落しにくいようになっている。
従って、腕時計１８は腕時計陳列用スタンド１０に傾斜状態で陳列されるので少し離れた位置からでも前記腕時計１８を見ることができると共に腕時計１８が立体的になり、消費者に対して高級な印象を与えることができる。
しかも、前記腕時計陳列用スタンド１０の先端に設けられた折返部１４には前記腕時計１８のブランド名や価格等が記載された商品シール１５が貼付されているので少し離れた位置からでも腕時計１８のブランド名や価格等を知ることができる。
また、前記収容ボックス部２８には前記腕時計１８の使用説明書や保証書２９が差し込まれているので、前記腕時計１８が購入された場合に収容ボックス部２８から使用説明書や保証書２９を直ぐに抜き取って腕時計１８と共に包装することができる。
なお、前記腕時計陳列用スタンド１０は前記上棚用トレー３６、中棚用トレー３８、下棚用トレー４０によって規則正しく余裕を持って整然と並べられるので、腕時計陳列用スタンド１０を透明ケース３２にすし詰めに並べる場合に比べて上品で洒落たイメージの腕時計１８の販売スペースを作ることができる。
さらに、腕時計陳列用スタンド１０は前記上棚用トレー３６、中棚用トレー３８、下棚用トレー４０に規則正しく整然と配設されるので腕時計１８が売れた順に透明ケース３２から腕時計陳列用スタンド１０が除かれていくので、販売者側は前記透明ケース３２を見るだけで一見して売れ筋の腕時計１８を把握することができると共に腕時計の１８の仕入れや仕入れ計画を容易にたてることができるという副次的効果を得ることができる。
【０００７】
図７には本考案に係る腕時計陳列用スタンドの第２実施例が示されている。なお、第１実施例の腕時計陳列用スタンド１０と同一の構成は同一の符合を用いてその説明を省略する。
第２実施例の腕時計陳列用スタンド５０の傾斜板１６の中間部１６Ｂには滑り止め防止シートとしての軟質ビニールシート５２が巻かれて取り付けられている。
従って、腕時計陳列用スタンド５０に腕時計１８を陳列した場合に時計本体１８Ａが対応する傾斜板１６の中間部１６Ｂには軟質ビニールシート５２が巻き付けられているので振動等によっても腕時計１８は滑ったりせず、腕時計１８を陳列した場合に時計本体１８Ａは常に傾斜板１６の中間部１６Ｂに位置した状態で陳列することができる。また、傾斜板１６の中間部１６Ｂに軟質ビニールシート５２を介して腕時計１８を陳列するので腕時計１８の保護にも役立つ。
なお、他の構成、作用、効果は第１実施例の腕時計陳列用スタンド１０と同一であるので、その説明は省略する。
【０００８】
図８には本考案に係る腕時計陳列用スタンドの第３実施例が示されている。なお、第１実施例の腕時計陳列用スタンド１０と同一の構成は同一の符合を用いてその説明を省略する。
第３実施例の腕時計陳列用スタンド６０の傾斜板１６の中間部１６Ｂの背面には弾性体としてのスポンジ６２が取り付けられている。
従って、腕時計陳列用スタンド６０に腕時計１８を陳列する場合は腕時計１８のバンド部１８Ｂは前記スポンジ６２も巻くことになるので腕時計１８はフィットした状態で傾斜板１６の中間部１６Ｂに保持される。このため、振動等によって腕時計１８は滑ったりせず、腕時計１８を陳列した場合に時計本体１８Ａは常に傾斜板１６の中間部１６Ｂに位置した状態で陳列することができる。
なお、傾斜板１６の中間部１６Ｂの背面にスポンジ６２を固定したが、弾性体であればスポンジに限定されるものでないことは勿論である。
また、他の構成、作用、効果は第１実施例の腕時計陳列用スタンド１０と同一であるので、その説明は省略する。
【０００９】
なお、実施例では上切欠部２０の入口部に突起２４を形成したが、必ずしも突起２４を形成しなくてもよい。
また、図３においては腕時計陳列用スタンド１０を１２個載置できる上棚用トレー３６、中棚用トレー３８、下棚用トレー４０を示し、図４、図５、図６においては腕時計陳列用スタンド１０を８個載置できる上棚用トレー３６、中棚用トレー３８、下棚用トレー４０を示したが、これに限定されるものでないことは勿論である。
【００１０】
【考案の効果】
本考案の腕時計陳列用スタンドは、腕時計を傾斜状態で陳列するので離れた位置からでも腕時計を見ることができると共に腕時計が立体的になり消費者に対して高級な印象を与えることができるという優れた効果を有する。
また、請求項４及び請求項５の腕時計陳列用スタンドは、上記優れた効果の他に振動等で滑ることがないので腕時計の時計本体を正面にした状態で常に陳列することができるという優れた効果を有する。
【図面の簡単な説明】
【図１】第１実施例の腕時計陳列用スタンドの使用状態を示す全体斜視図である。
【図２】第１実施例の腕時計陳列用スタンドの縦断面図である。
【図３】第１実施例の腕時計陳列用スタンドを商品陳列体に配設した状態の全体斜視図である。
【図４】第１実施例の腕時計陳列用スタンドを上棚用トレーに載置した全体斜視図である。
【図５】第１実施例の腕時計陳列用スタンドを中棚用トレーに載置した全体斜視図である。
【図６】第１実施例の腕時計陳列用スタンドを下棚用トレーに載置した全体斜視図である。
【図７】第２実施例の腕時計陳列用スタンドの全体斜視図である。
【図８】第３実施例の腕時計陳列用スタンドの側面図である。
【符号の説明】
１０　　腕時計陳列用スタンド
１２　　基板
１４　　折返部
１６　　傾斜板
１８　　腕時計
２０　　上切欠部
２２　　下切欠部
２４　　突起
２６　　立上板
２８　　収容ボックス部
【図１】
0003097587.tif 000003
【図２】
0003097587.tif 000004
【図３】
0003097587.tif 000005
【図４】
0003097587.tif 000006
【図５】
0003097587.tif 000007
【図６】
0003097587.tif 000008
【図７】
0003097587.tif 000009
【図８】
0003097587.tif 000010